(57)【要約】【課題】プラスチック製止め具を用いても被止め部材の絞り部分を確実に挟み潰して封止が適正に行なえるようにし、従来の金属製止め具と同様に確実な封止をしながらも、ごみ分別を行なう必要をなくす。【解決手段】略コ字状の受け部材２と嵌め込み部材３とからなり、受け部材２は溝部９を備え、嵌め込み部材３は受け部材２の溝部９内に進入し可能な板部１４を備えて、板部１４と溝部９の縦壁８とで、嵌め込み部材３を受け部材２に嵌め入れたときに被止め部材の絞り部分を溝部９内に曲げ入れて、溝部９に進入した板部１４と溝部９の縦壁８との間に位置する絞り部分５を挟み潰す潰し手段が形成されるようにした。【選択図】    図１
2005178826.tif 000002
【特許請求の範囲】
【請求項１】
被止め部材の絞り部分を位置させる中央空所の三方を囲むように略コ字状とした受け部材とこの受け部材に嵌め込み可能な嵌め込み部材とがヒンジを介して連接され、前記受け部材のヒンジとは反対側に係止爪を有するとともに、嵌め込み部材のヒンジとは反対側に、該嵌め込み部材を受け部材の中央空所側に嵌め入れたときに受け部材の前記係止爪に係止する係止爪を設け、前記受け部材の中央空所に配した被止め部材の絞り部分を、前記係止爪同士を係合させた受け部材と嵌め込み部材とで挟み込むプラスチック製止め具において、
前記受け部材は底と縦壁とから中央空所側を開放した溝部を備え、前記嵌め込み部材は受け部材に嵌め入れたときに前記溝部内に進入して中央空所を閉じる板部を備えて、前記板部と該板部が進入する溝部の縦壁とで、前記嵌め込み部材を受け部材に嵌め入れたときに中央空所に配した被止め部材の絞り部分を溝部内に曲げ入れて、溝部に進入した板部と溝部の縦壁との間に位置する前記絞り部分を挟み潰す潰し手段が形成されていることを特徴とするプラスチック製止め具。
【請求項２】
上記溝部における一方の縦壁と上記板部とからなり中央空所に配した被止め部材の絞り部分を挟み潰す第一潰し手段と、他方の縦壁と前記板部とからなり中央空所に配した被止め部材の絞り部分を挟み潰す第二潰し手段との二つの潰し手段を有して、板部を間にした前記二つの潰し手段により被止め部材の絞り部分を挟み潰す構成とした請求項１に記載のプラスチック製止め具。
【請求項３】
一対の平行な長尺部材の間に上記請求項１または２のプラスチック製止め具が位置し、受け部材が一方の長尺部材に切断容易な張り出し部を介して分離可能に連続するとともに嵌め込み部材が他方の長尺部材に切断容易な張り出し部を介して分離可能に連続して長尺部材の間にプラスチック製止め具が支持され、該プラスチック製止め具が長尺部材の長さ方向に定間隔にして配置されていることを特徴とするプラスチック製止め具の連続体。
【発明の詳細な説明】
【技術分野】
【０００１】
本発明は液体などの内容物を入れたプラスチック袋を封止するプラスチック製止め具とその連続体に関するものである。
【背景技術】
【０００２】
従来から、カキなどの水産物やしらたきなどの食品が入れられたプラスチック袋やソーセージを入れたプラスチック包装材を封止する手段として、アルミニウム成型品やアルミニウムワイヤなどの金属製止め具が使用されていて、これら食品を利用した後にプラスチック製包装材と前記金属製止め具とがごみとなるが、この両者の分離できないことから、ごみ廃棄における分別処分の点から問題となってきている。
また、金属製止め具による封止に際して金属小片が包装材内部に入って食品に混じり、その金属片を飲み込んでしまうといった事故や、混入した金属片の腐食で食品を変質させることが懸念されるため、金属製止め具を用いる封止装置の管理を確実にしているが、商品に混入した金属物を検知する場合に有効な金属探知機がこの場合使用できない不都合がある。
【０００３】
このようなことから近年においてはプラスチック製止め具が提案されていて、プラスチック袋などの被止め部材の絞り部分を位置させる中央空所の三方を囲む略コ字状の第一部材とこの第一部材にヒンジを介して連接した第二部材とからなり、第二部材を第一部材に掛け止めてこの第一、第二部材により絞り部分を小さく囲み込んだり（特許文献１参照）、絞り部分を挟むようにしたもの（特許文献２参照）が提案されている。
【特許文献１】特許第３１８７４３０号公報（第２頁右欄１５〜２４行、図３）
【特許文献２】特許第３４１８７５８号公報（第２頁左欄１０〜１７行、図４）
【発明の開示】
【発明が解決しようとする課題】
【０００４】
しなしながら上述した特許文献１で示されるプラスチック製止め具にて被止め部材の絞り部分をより小さく囲い込むものは締め付けの程度が弱いものであった。また、この特許文献１では略コ字状とした第一部材の断面を溝状とし、第二部材側に長さ方向に凹形状の凸条を設けた点が示されているが、第一部材と第二部材とを組み合わせたときに被止め部材の絞り部分が第一部材の溝の内側に押し付けられるようにしているが、前記絞り部分での断面形状が大きく変化することにはならず、封止の程度が小さいものであった。
同様に特許文献２に示されたプラスチック製止め具の場合では第一部材と第二部材との対向する平面部で被止め部材の絞り部分を挟むようにしているため、その絞り部分を挟むことで第一、第二部材自体が湾曲変形し易くなってしまい、その絞り部分を確実に封止する用具としては不向きなものであった。
そこで本発明は上記事情に鑑み、プラスチック製止め具を用いても被止め部材の絞り部分を確実に挟み潰して封止が適正に行なえるようにすることを課題とし、従来の金属製止め具と同様に確実な封止をしながらも、ごみ分別を行なう必要をなくすことを目的とするものである。
【課題を解決するための手段】
【０００５】
本発明は上記課題を考慮してなされたもので、被止め部材の絞り部分を位置させる中央空所の三方を囲むように略コ字状とした受け部材とこの受け部材に嵌め込み可能な嵌め込み部材とがヒンジを介して連接され、前記受け部材のヒンジとは反対側に係止爪を有するとともに、嵌め込み部材のヒンジとは反対側に、該嵌め込み部材を受け部材の中央空所側に嵌め入れたときに受け部材の前記係止爪に係止する係止爪を設け、前記受け部材の中央空所に配した被止め部材の絞り部分を、前記係止爪同士を係合させた受け部材と嵌め込み部材とで挟み込むプラスチック製止め具において、前記受け部材は底と縦壁とから中央空所側を開放した溝部を備え、前記嵌め込み部材は受け部材に嵌め入れたときに前記溝部内に進入して中央空所を閉じる板部を備えて、前記板部と該板部が進入する溝部の縦壁とで、前記嵌め込み部材を受け部材に嵌め入れたときに中央空所に配した被止め部材の絞り部分を溝部内に曲げ入れて、溝部に進入した板部と溝部の縦壁との間に位置する前記絞り部分を挟み潰す潰し手段が形成されていることを特徴とするプラスチック製止め具を提供して、上記課題を解消するものである。
そして、この発明において、上記溝部における一方の縦壁と上記板部とからなり中央空所に配した被止め部材の絞り部分を挟み潰す第一潰し手段と、他方の縦壁と前記板部とからなり中央空所に配した被止め部材の絞り部分を挟み潰す第二潰し手段との二つの潰し手段を有して、板部を間にした前記二つの潰し手段により被止め部材の絞り部分を挟み潰す構成とすることが良好である。
【０００６】
もう一つの発明は、一対の平行な長尺部材の間に上記プラスチック製止め具が位置し、受け部材が一方の長尺部材に切断容易な張り出し部を介して分離可能に連続するとともに嵌め込み部材が他方の長尺部材に切断容易な張り出し部を介して分離可能に連続して長尺部材の間にプラスチック製止め具が支持され、該プラスチック製止め具が長尺部材の長さ方向に定間隔にして配置されていることを特徴とするプラスチック製止め具の連続体であり、このプラスチック製止め具の連続体を提供して、上記課題を解消するものである。
【発明の効果】
【０００７】
本発明によれば、受け部材は底と縦壁とから中央空所側を開放した溝部を備え、嵌め込み部材は受け部材に嵌め入れたときに前記溝部内に進入して中央空所を閉じる板部を備えて、中央空所に配した被止め部材の絞り部分を溝部内に曲げ入れて前記板部が進入した溝部内での縦壁と板部との間で絞り部分を挟み潰す構成としたので、この絞り部分の挟み込み個所全体が溝部内で屈曲した状態で入り込むようになり、溝部の幅が小さくとも挟み込み個所の長さを長くすることができ、さらに板部が溝部に入るときに互いに移動方向が逆となる前記板部と溝部の縦壁との間で絞り部分を挟み潰すので、絞り部分の挟み込み個所の断面が形状変化し易く、偏平に挟み潰されて封止がより確実になる。
【０００８】
また、上記溝部における一方の縦壁と上記板部とからなり中央空所に配した被止め部材の絞り部分を挟み潰す第一潰し手段と、他方の縦壁と前記板部とからなり中央空所に配した被止め部材の絞り部分を挟み潰す第二潰し手段とを有して、絞り部分挟み込み時の前記第一潰し手段と第二潰し手段とを板部を間にして対向配置させ、第一、第二潰し手段の二位置で被止め部材の絞り部分を挟み潰すことにより、絞り部分挟み込み時に生じる応力の発生部分が板部を間にして対向し、これによってより大きな押圧力で絞り部分挟み込み個所が潰されて封止度合いが高まるようになる。
【０００９】
さらに、連続体では、一対の貼着部材に一定間隔にして複数のプラスチック製止め具が並んでいるので、この連続体を止め具装着装置にセットすることで連続的に止め具を供給でき、装置を効率良く稼働させることができるなど、実用性に優れた効果を奏するものである。
【発明を実施するための最良の形態】
【００１０】
つぎに本発明を図１から図９に示す実施の形態に基づいて詳細に説明する。
図中１はプラスチック製止め具で、該止め具１は受け部材２と嵌め込み部材３とがヒンジ４を介して連接されたものであり、食品などを収納した筒状のプラスチック袋や包装材である被止め部材の絞り部分を受け部材２側に配した状態でヒンジ４から嵌め込み部材３を回動させ、この受け部材２と嵌め込み部材３とで挟みながら前記嵌め込み部材３を受け部材２に嵌め入れることで被止め部材を封止するようにしたものである。
【００１１】
図２に示されているように、受け部材２は上述した被止め部材の絞り部分５を位置させ易いように中央空所６を有し、その中央空所６の三方を囲むように略コ字状としている。そして、コ字状の凸側の周面を形成する底７とこの底７の側辺に連続した一対の縦壁８とから前記中央空所６側を開放した溝部９を、この受け部材２の曲がりに沿って備えている（図４、図６参照）。
また、図６に示されているように、この受け部材２の上記ヒンジ４とは反対側の端部に、中央空所６側に向けて凸となる係止爪１０が一体にして設けられている。なお、底７の係止爪１０側は開口１１としているが、この開口１１は係止爪の部分を成型するために要する部分である。
【００１２】
嵌め込み部材３はヒンジ４から回動させて上記受け部材２の中央空所６側に嵌め入れることができるものである。図示するように受け部材２の厚さ寸法（縦壁外面間寸法）ｄ１と同寸とした厚肉部１２の一端がヒンジ４を介して受け部材２に連続し、またその厚肉部１２の他端に、厚肉部１２より厚さを減じた厚さ寸法の係止爪１３が一体にして設けられている（図２参照）。この係止爪１３は、嵌め込み部材３を回動させて受け部材２に嵌め入れたときに、受け部材２の溝部９の端部に位置する係止爪１０を乗り越えたのちに係合するものであり（図７参照）、この係合によって受け部材２に対する嵌め込み部材３の嵌め入れた状態が維持されるようにしている。なお、嵌め込み部材３の嵌め込みは止め具装着装置によって行われるものであり、係止爪１０を係止爪１３が乗り越える押し込みは機械力により行われる。
【００１３】
また、嵌め込み部材３には、三方を直線状とし、中央空所６側に嵌め入れたときにその中央空所６が側面（受け部材２が略コ字形状となる方向）から見て閉じられるようになる形状とした板部１４が、上記厚肉部１２を受け部材２側に回動したときに受け部材２に対向する面側に一体にして設けられている（図５参照）。即ち、この板部１４では、嵌め込み部材３を受け部材２に嵌め入れたときに、板部１４の前記三辺が溝部９に進入位置するように設けられている（図７）。さらに、止め具１が展開され溝部９と前記板部１４とを表した図３に示されているように、溝部９の中心を通る中心線Ｓの延長線上に板部１４の中心が位置し、溝部９の内寸法（縦壁内側面間寸法）ｄ２より若干小さい肉厚として板部１４の厚さ寸法ｄ３が設定されており（ｄ２＞ｄ３）、嵌め込み部材３を受け部材２に嵌め入れて係止爪１０、１３が係合し、図８に示すように、板部１４が溝部９の内部に進入位置した状態において、一方の縦壁８と板部１４との間、そして、他方の縦壁８と板部１４との間それぞれで若干の隙間１５が形成されるようにしている。
【００１４】
このようにプラスチック製止め具１においては、受け部材２に嵌め込む嵌め込み部材３が、三辺を溝部９内に進入させて中央凹所６を閉じる板部１４を備えていることから、展開状態（嵌め込み部材３が受け部材２に嵌め入れられていない状態）の止め具１の受け部材２の中央凹所６に被止め部材の絞り部分５を配してから嵌め込み部材３が受け部材２側に回動して嵌め込まれる際、中央空所６に位置していた絞り部分５が、板部１４の張り出し端１６で中央空所６の最奥部側に押され、絞り部分５が鋭角に屈曲した状態で溝部９内に押し込まれるようにしている（図８（イ）参照）。
上述したように受け部材２の係止爪１０と嵌め込み部材３の係止爪１３とが係合した状態においては上述したように板部１４の三辺それぞれが溝部９内に進入位置している。即ち、この三辺の内の一辺であって被止め部材の絞り部分５を中央空所６の最奥部側に向けて押す張り出し端１６も係止爪１０、１３が係合した時には溝部９の内部に進入位置し、図８に示すように中央空所６の最奥部側である縦壁８の最奥端１７の位置から張り出し端１６が底７側に向けて入り込み、絞り部分５を溝部内に鋭角に折り込むように設けられている。
【００１５】
そして、本発明では、上記係止爪１０、１３が係合した時に嵌め込み部材３の板部１４の張り出し端１６が溝部９に入り込んだ領域で、溝部９の一方の縦壁８と板部１４とが隙間１５を間にして平行に対向してなる第一潰し手段１８と、溝部９の他方の壁部８と板部１４とが隙間１５を間にして平行に対向してなる第二潰し手段１９とが搾り部分挟み込み時に形成され、この第一、第二潰し手段１８、１９が板部１４を間にして対向配置する構成となるように設けられている。このように止め具１では第一、第二潰し手段１８、１９を形成するための構成部として板部１４の張り出し端１６と溝部９の縦壁８を有している。
そして、上記第一、第二潰し手段１８、１９それぞれでは被止め部材の絞り部分５を板部１４と縦壁８とで挟み潰してその絞り部分５の断面形状が略偏平となるようにしており、溝部９内に板部１４で深く折り入れられた絞り部分５は、その溝部９内において二位置で偏平に変形される状態となり、そのため、絞り部分５に対しての封止度合いが高いものとなる。
さらに図８（イ）（ロ）に示すように、上記第一、第二潰し手段１８、１９は板部１４を間にして対向配置され、被止め部材の絞り部分５を挟み込んだときには第一潰し手段１８と第二潰し手段１９とのそれぞれで応力が発生し、その応力を板部１４と縦壁８との間の隙間１５にある絞り部分５を挟み潰す押圧力として互いに作用するようにしている。そのため、隙間１５それぞれに位置する絞り部分５に対して大きな押圧力を簡単な構成で加えることができるようになるとともに、第一、第二潰し手段１８、１９での絞り部分５からの反力が、板部１４を押し戻す方向には働き難くなり、この点からも封止が確実に行なえるものとなる。
【００１６】
また、このプラスチック製止め具１では被止め部材の絞り部分５の挟み込みに際して、上記第一潰し手段１８と第二潰し手段１９との二位置で絞り部分５を挟み込みながら、その第一潰し手段１８と第二潰し手段１９との間に亘る挟み込み個所を、板部１４の張り出し端１６における端面で溝部９の内部に押し込むため、その第一潰し手段１８と第二潰し手段１９との間に亘る挟み込み個所に若干の引っ張り力を作用させ、その引っ張り力が作用している状態の下、第一、第二潰し手段１８、１９それぞれでは、縦壁８の内面と板部１４における張り出し端１６の側面とが相対的に移動方向が異なる方向に動いて絞り部分５を挟み潰すので、絞り部分５の断面が偏平に変形し易くなり、この点からも絞り部分５に対する封止がより確実に行われる。
なお、被止め部材である袋の材質（素材の厚み）や大きさに応じて、板部１４の長さや高さ、厚みを調整することにより、適切な封止状態を得ることができる。
【００１７】
上記プラスチック製止め具１を用いて包装体を封止する止め具装着装置の稼働を効率良くするために、プラスチック製止め具１はつぎに示す連続体２０として止め具装着装置に供給されるようにしている。
プラスチック製止め具１の連続体２０は図９に示されるように、一対の平行な長尺部材２１の間に、複数のプラスチック製止め具１をそれぞれの向きを同一にして一定間隔を置いて並べてなるものであり、プラスチック製止め具１の受け部材２が一方の長尺部材２１に切断容易な張り出し部（ゲート）２２を介して分離可能に連続するとともに、嵌め込み部材３の上記係止爪１３が他方の長尺部材２１に切断容易な張り出し部２２を介して分離可能に連続して一体に成型されているものである。このように一対の長尺部材２１の間に並設状態にして複数のプラスチック製止め具１が取り外し可能に支持されているため、複数のプラスチック製止め具を一体的に取り扱える。そして、止め具装着装置側で前記連続体２０を引き込んでプラスチック製止め具を一個ずつ順次分離しながら包装体に止め付ける構成とすることで、その止め具装着装置の稼働を効率の良いものとすることができるようになる。
【図面の簡単な説明】
【００１８】
【図１】本発明に係るブラスチック製止め具の一例を斜視で示す説明図である。
【図２】一例の側面を示す説明図である。
【図３】一例を受け部材と嵌め込み部材との対向面側から見た状態で示す説明図である。
【図４】図３のＡ−Ａ線部に沿った断面を示す説明図である。
【図５】図３のＢ−Ｂ線部に沿った断面を示す説明図である。
【図６】図３のＣ−Ｃ線部に沿った断面を示す説明図である。
【図７】受け部材に嵌め込み部材を嵌め入れた状態を示す説明図である。
【図８】溝部における板部の進入と被止め部材の絞り部分の曲げ入れを示すもので、（イ）は張り出し端と交差する方向での状態を断面で示す説明図、（ロ）は張り出し端に沿った方向での断面で示す説明図である。
【図９】本発明に係るプラスチック製止め具の連続体の一例を示す説明図である。
【符号の説明】
【００１９】
１…プラスチック製止め具
２…受け部材
３…嵌め込み部材
５…絞り部分
８…縦壁
９…溝部
１４…板部
１５…隙間
１８…第一潰し手段
１９…第二潰し手段
２０…連続体
【図１】
2005178826.tif 000003
【図２】
2005178826.tif 000004
【図３】
2005178826.tif 000005
【図４】
2005178826.tif 000006
【図５】
2005178826.tif 000007
【図６】
2005178826.tif 000008
【図７】
2005178826.tif 000009
【図８】
2005178826.tif 000010
【図９】
2005178826.tif 000011